(57)【要約】【課題】電力消費者は、少ない負担で、最も安価な電力を選び出すことができ、また、電力供給者は、少ない負担で、多くの電力消費者との取引の機会を得ることができる電気契約仲介装置を提供する。【解決手段】契約種別ＤＢ１０９は、各契約種別の情報を格納している。入札案件登録処理１０２は、電力消費者端末から入力された入札案件を、入札案件ＤＢ１０８に登録する。自動入札処理１０７は、契約種別ＤＢ１０９に格納されている各契約種別の情報に基づき、入札案件ＤＢ１０９に登録された入札案件に対する入札情報を作成し、該情報を入札案件に紐付けて、入札案件ＤＢ１０８に格納する。落札通知処理１０５は、登録された入札案件に紐付けて、入札案件ＤＢ１０８に格納されている入札の情報の中から、落札する入札を選び出し、該入札が落札したことを、電力供給者端末および入札案件を入力した電力消費者端末に通知する。【選択図】図１
2007133813.tif 000002
【特許請求の範囲】
【請求項１】
複数の電力供給者端末および複数の電力消費者端末と、通信回線を介して接続されている電気契約仲介装置において、
電力供給者の各契約種別に関する情報を格納している契約種別ＤＢと、
電力消費者の入札案件情報が格納される入札案件ＤＢと、
前記電力消費者端末から入力された入札案件情報を、前記入札案件ＤＢに登録する入札案件登録手段と、
前記契約種別ＤＢに格納されている各契約種別に関する情報に基づき、前記入札案件ＤＢに登録された入札案件情報に対する入札情報を作成し、該入札情報を前記登録された入札案件情報に紐付けて、前記入札案件ＤＢに格納する自動入札手段と、
前記登録された入札案件情報に紐付けて、前記入札案件ＤＢに格納されている入札情報の中から、該入札情報に基づき、落札する入札を選び出し、該入札が落札したことを、前記電力供給者端末および前記登録された入札案件を入力した前記電力消費者端末に通知する落札通知手段と
を備えることを特徴とする電気契約仲介装置。
【請求項２】
前記電力供給者端末から入力された各契約種別に関する情報を、前記契約種別ＤＢに格納する契約種別条件登録手段を備えることを特徴とする請求項１に記載の電気契約仲介装置。
【請求項３】
前記電力供給者端末および前記電力消費者端末からの要求に応じて、前記入札案件ＤＢに格納されている前記入札案件情報と前記入札情報を送信する入札状況照会手段と、
前記電力供給者端末からの要求に応じて、前記入札案件ＤＢに格納されている前記入札情報を変更する入札変更・確定手段と
を備えることを特徴とする請求項１または請求項２に記載の電気契約仲介装置。
【請求項４】
前記入札案件情報は、地域の識別、１日間の時間割および１年間の月割の電力負荷パターンを含み、
前記各契約種別に関する情報は、地域の識別と、基本料金と、従量単価と、１日間の時間割および１年間の月割りの電力供給パターンを含み、
前記自動入札手段は、
前記入札案件ＤＢに登録された入札案件情報に基づき、入札する契約種別を前記契約種別ＤＢから選ぶ契約種別選定部と、
前記契約種別選定部が選んだ契約種別の電力供給パターンと、前記入札案件ＤＢに登録された入札案件情報の電力負荷パターンとに基づき、前記契約種別選定部が選んだ契約種別の従量単価を補正するパターン補正部と、
前記入札案件ＤＢに登録された入札案件情報の地域の識別に基づき、前記パターン補正部により補正された従量単価を補正する託送料補正部と、
前記入札案件ＤＢに登録された入札案件情報の電力負荷パターンと、前記託送料補正部により補正された従量単価と、前記基本料金とに基づき、予想電気料金を算出する電気料金計算部と、
前記電気料金計算部が算出した予想電気料金に、税金を加えた予想電気料金を算出する税金等計算部と、
前記税金等計算部が算出した予想電気料金からなる入札情報を、前記入札案件ＤＢに登録された入札案件に紐付けて、前記入札案件ＤＢに格納する入札登録部と
を備えることを特徴とする請求項１から請求項３のいずれかの項に記載の電気契約仲介装置。
【請求項５】
複数の電力供給者端末および複数の電力消費者端末と、通信回線を介して接続されている電気契約仲介装置において、
前記電力消費者端末から入力された入札案件情報を、入札案件ＤＢに登録する第１の過程と、
契約種別ＤＢに格納されている各契約種別に関する情報に基づき、前記入札案件ＤＢに登録された入札案件情報に対する入札情報を作成し、該入札情報を前記登録された入札案件情報に紐付けて、前記入札案件ＤＢに格納する第２の過程と、
前記登録された入札案件情報に紐付けて、前記入札案件ＤＢに格納されている入札情報の中から、該情報に基づき、落札する入札を選び出し、該入札が落札したことを、前記電力供給者端末および前記登録された入札案件を入力した前記電力消費者端末に通知する第３の過程と
を備えることを特徴とする電気契約仲介方法。
【請求項６】
前記電力供給者端末から入力された各契約種別に関する情報を、前記契約種別ＤＢに格納する第４の過程を備えることを特徴とする請求項５に記載の電気契約仲介方法。
【請求項７】
前記電力供給者端末および前記電力消費者端末からの要求に応じて、前記入札案件ＤＢに格納されている前記入札案件情報と前記入札情報を送信する第５の過程と、
前記電力供給者端末からの要求に応じて、前記入札案件ＤＢに格納されている前記入札情報を変更する第６の過程と
を備えることを特徴とする請求項５または請求項６に記載の電気契約仲介方法。
【請求項８】
前記入札案件情報は、地域の識別、１日間の時間割および１年間の月割の電力負荷パターンを含み、
前記各契約種別に関する情報は、地域の識別と、基本料金と、従量単価と、１日間の時間割および１年間の月割りの電力供給パターンを含み
前記第２の過程は、
前記入札案件ＤＢに登録された入札案件情報に基づき、入札する契約種別を前記契約種別ＤＢから選ぶ選定過程と、
前記選定過程にて選んだ契約種別の電力供給パターンと、前記入札案件ＤＢに登録された入札案件情報の電力負荷パターンとに基づき、前記選定過程が選んだ契約種別の従量単価を補正するパターン補正過程と、
前記入札案件ＤＢに登録された入札案件情報の地域の識別に基づき、前記パターン補正過程により補正された従量単価を補正する託送料補正過程と、
前記入札案件ＤＢに登録された入札案件情報の電力負荷パターンと、前記託送料補正過程により補正された従量単価と、前記基本料金とに基づき、予想電気料金を算出する電気料金計算過程と、
前記電気料金計算過程にて算出した予想電気料金に、税金を加えた予想電気料金を算出する税金等計算過程と、
前記税金等計算過程が算出した予想電気料金からなる入札情報を、前記入札案件ＤＢに登録された入札案件に紐付けて、前記入札案件ＤＢに格納する入札登録過程と
を備えることを特徴とする請求項５から請求項７のいずれかの項に記載の電気契約仲介方法。
【発明の詳細な説明】
【技術分野】
【０００１】
本発明は、電力消費者が、複数の電力供給者の中から、より有利な電気料金の電力供給者を選択して契約を結ぶ電気契約仲介装置および電気契約仲介方法に関する。
【背景技術】
【０００２】
電力自由化に伴って、特定規模以上の電力消費者は、一般電気事業者もしくは特定規模電気事業者（ＰＰＳ（Ｐｏｗｅｒ  Ｐｒｏｄｕｃｅｒ  ａｎｄ  Ｓｕｐｐｌｉｅｒ））である複数の電力供給者の中から選択して、契約することができるようになった。しかし、電力供給者と電力消費者との電力契約を仲介するシステムはなく、電力消費者は、各電力供給者と個別に折衝することで、自らの要求に適した契約を電力供給者と結んでいる。
また、従来のネットオークションシステムでは、売り手の提示した品物に対して、最も高い金額を提示した買い手が買い取るようにしている。また、逆オークションと呼ばれ、買い手側が希望の品物、金額などを提示すると、複数の売り手の中から条件に合致した売り手から購入をするようにしているものもある。
【発明の開示】
【発明が解決しようとする課題】
【０００３】
しかしながら、個別折衝では、電気契約は契約を行なうための条件が複雑で、電力供給者ごとに多くの様々な契約種別があり、それらの中から最も適した電力供給者を選び出すのは電力消費者にとっては作業量が多く負担が大きいという問題がある。また、個別折衝およびオークションや逆オークションでは、電力供給者自らの数多くの契約種別を持つ複雑な料金体系の中から、各々の電力消費者に最適な契約種別を選び出して金額を算出し、電力消費者に提示するのは、電力供給者にとって、作業量が多く負担が大きいという問題がある。
【０００４】
本発明は、このような事情に鑑みてなされたもので、その目的は、電力消費者にとっては、少ない負担で、複数の電力供給者の中から、最も安価な電力を選び出すことができ、また、電力供給者にとっては、少ない負担で、多くの電力消費者との取引の機会を得ることができる電気契約仲介装置および電気契約仲介方法を提供することにある。
【課題を解決するための手段】
【０００５】
この発明は上述した課題を解決するためになされたもので、請求項１に記載の発明は、複数の電力供給者端末および複数の電力消費者端末と、通信回線を介して接続されている電気契約仲介装置において、電力供給者の各契約種別に関する情報を格納している契約種別ＤＢと、電力消費者の入札案件情報が格納される入札案件ＤＢと、前記電力消費者端末から入力された入札案件情報を、前記入札案件ＤＢに登録する入札案件登録手段と、前記契約種別ＤＢに格納されている各契約種別に関する情報に基づき、前記入札案件ＤＢに登録された入札案件情報に対する入札情報を作成し、該入札情報を前記登録された入札案件情報に紐付けて、前記入札案件ＤＢに格納する自動入札手段と、前記登録された入札案件情報に紐付けて、前記入札案件ＤＢに格納されている入札情報の中から、該入札情報に基づき、落札する入札を選び出し、該入札が落札したことを、前記電力供給者端末および前記登録された入札案件を入力した前記電力消費者端末に通知する落札通知手段とを備えることを特徴とする電気契約仲介装置である。
【０００６】
また、請求項２に記載の発明は、請求項１に記載の電気契約仲介装置であって、前記電力供給者端末から入力された各契約種別に関する情報を、前記契約種別ＤＢに格納する契約種別条件登録手段を備えることを特徴とする。
【０００７】
また、請求項３に記載の発明は、請求項１または請求項２に記載の電気契約仲介装置であって、前記電力供給者端末および前記電力消費者端末からの要求に応じて、前記入札案件ＤＢに格納されている前記入札案件情報と前記入札情報を送信する入札状況照会手段と、前記電力供給者端末からの要求に応じて、前記入札案件ＤＢに格納されている前記入札情報を変更する入札変更・確定手段とを備えることを特徴とする。
【０００８】
また、請求項４に記載の発明は、請求項１から請求項３のいずれかの項に記載の電気契約仲介装置であって、前記入札案件情報は、地域の識別、１日間の時間割および１年間の月割の電力負荷パターンを含み、前記各契約種別に関する情報は、地域の識別と、基本料金と、従量単価と、１日間の時間割および１年間の月割りの電力供給パターンを含み、前記自動入札手段は、前記入札案件ＤＢに登録された入札案件情報に基づき、入札する契約種別を前記契約種別ＤＢから選ぶ契約種別選定部と、前記契約種別選定部が選んだ契約種別の電力供給パターンと、前記入札案件ＤＢに登録された入札案件情報の電力負荷パターンとに基づき、前記契約種別選定部が選んだ契約種別の従量単価を補正するパターン補正部と、前記入札案件ＤＢに登録された入札案件情報の地域の識別に基づき、前記パターン補正部により補正された従量単価を補正する託送料補正部と、前記入札案件ＤＢに登録された入札案件情報の電力負荷パターンと、前記託送料補正部により補正された従量単価と、前記基本料金とに基づき、予想電気料金を算出する電気料金計算部と、前記電気料金計算部が算出した予想電気料金に、税金を加えた予想電気料金を算出する税金等計算部と、前記税金等計算部が算出した予想電気料金からなる入札情報を、前記入札案件ＤＢに登録された入札案件に紐付けて、前記入札案件ＤＢに格納する入札登録部とを備えることを特徴とする。
【０００９】
また、請求項５に記載の発明は、複数の電力供給者端末および複数の電力消費者端末と、通信回線を介して接続されている電気契約仲介装置において、前記電力消費者端末から入力された入札案件情報を、入札案件ＤＢに登録する第１の過程と、契約種別ＤＢに格納されている各契約種別に関する情報に基づき、前記入札案件ＤＢにされた入札案件情報に対する入札情報を作成し、該入札情報を前記登録された入札案件情報に紐付けて、前記入札案件ＤＢに格納する第２の過程と、前記登録された入札案件情報に紐付けて、前記入札案件ＤＢに格納されている入札情報の中から、該入札情報に基づき、落札する入札を選び出し、該入札が落札したことを、前記電力供給者端末および前記登録された入札案件を入力した前記電力消費者端末に通知する第３の過程とを備えることを特徴とする電気契約仲介方法である。
【００１０】
また、請求項６に記載の発明は、請求項５に記載の電気契約仲介方法であって、前記電力供給者端末から入力された各契約種別に関する情報を、前記契約種別ＤＢに格納する第４の過程を備えることを特徴とする。
【００１１】
また、請求項７に記載の発明は、請求項５または請求項６に記載の電気契約仲介方法であって、前記電力供給者端末および前記電力消費者端末からの要求に応じて、前記入札案件ＤＢに格納されている前記入札案件情報と前記入札情報を送信する第５の過程と、前記電力供給者端末からの要求に応じて、前記入札案件ＤＢに格納されている前記入札情報を変更する第６の過程とを備えることを特徴とする。
【００１２】
また、請求項８に記載の発明は、請求項５から請求項７のいずれかの項に記載の電気契約仲介方法であって、前記入札案件情報は、地域の識別、１日間の時間割および１年間の月割の電力負荷パターンを含み、前記各契約種別に関する情報は、地域の識別と、基本料金と、従量単価と、１日間の時間割および１年間の月割りの電力供給パターンを含み、前記第２の過程は、前記入札案件ＤＢに登録された入札案件情報に基づき、入札する契約種別を前記契約種別ＤＢから選ぶ選定過程と、前記選定過程にて選んだ契約種別の電力供給パターンと、前記入札案件ＤＢに登録された入札案件情報の電力負荷パターンとに基づき、前記選定過程が選んだ契約種別の従量単価を補正するパターン補正過程と、前記入札案件ＤＢに登録された入札案件情報の地域の識別に基づき、前記パターン補正過程により補正された従量単価を補正する託送料補正過程と、前記入札案件ＤＢに登録された入札案件情報の電力負荷パターンと、前記託送料補正過程により補正された従量単価と、前記基本料金とに基づき、予想電気料金を算出する電気料金計算過程と、前記電気料金計算過程にて算出した予想電気料金に、税金を加えた予想電気料金を算出する税金等計算過程と、前記税金等計算過程が算出した予想電気料金からなる入札情報を、前記入札案件ＤＢに登録された入札案件に紐付けて、前記入札案件ＤＢに格納する入札登録過程とを備えることを特徴とする。
【発明の効果】
【００１３】
この発明によれば、電気契約仲介装置は、電力供給者の各契約種別に関する情報を格納している契約種別ＤＢを備え、該契約種別ＤＢに格納されている各契約種別に関する情報に基づき、入札情報を作成するため、電力消費者および電力供給者ともに、数多くの契約種別を持つ複雑な料金体系を意識する必要がなくなる。そのため、電力消費者は、少ない負担で、複数の電力供給者の中から、最も安価な電力を選び出すことができる。
【００１４】
また、本発明によれば、電力消費者端末から入力された入札案件に対して、自動入札手段が入札情報を作成するため、電力供給者は、少ない負担で、多くの電力消費者との取引の機会を得ることができる。
【発明を実施するための最良の形態】
【００１５】
以下、図面を参照して、本発明の実施の形態について説明する。図１は、この発明の一実施形態による電気契約仲介装置の構成を示す概略ブロック図である。１００は、電気契約仲介装置であり、通信制御部１０１、入札案件登録処理１０２、入札状況照会処理１０３、入札変更・確定処理１０４、落札通知処理１０５、契約種別条件登録処理１０６、自動入札処理１０７、入札案件ＤＢ１０８と契約種別ＤＢ１０９からなる。通信制御部１０１は、ネットワーク２００を介した、電気契約仲介装置１００の各機能と他装置との通信を司る機能である。
【００１６】
入札案件登録処理１０２は、通信制御部１０１を介して受け付けた入札案件情報である契約条件（電力消費者ＩＤ、地域コード、入札期限、契約最大電力、受給電圧）、負荷パターン（０〜１時の電力量、１〜２時の電力量、・・・・２３〜２４時の電力量）、前年実績（１月の電力量、２月の電力量、・・・１２月の電力量、１月の電気料金、２月の電気料金・・・・１２月の電気料金）を、入札案件ＤＢ１０８に登録した後、自動入札処理１０７を起動する処理である。入札状況照会処理１０３は、電力消費者端末３００ａ〜３００ｚもしくは電力供給者端末３０１ａ〜３０１ｚからの指定に基づき、入札案件ＤＢ１０８から入札案件の入札案件情報および入札情報を読み出し、通信制御部１０１を介して返信する処理である。入札変更・確定処理１０４は、自動入札されて、入札案件ＤＢ１０８に登録されている入札情報の内容を、電力供給者端末３０１ａ〜３０１ｚの中の該当する端末から変更および確定する処理である。落札通知処理１０５は、入札期限となった入札案件について、入札の中でも、最も安い年間予想電気料金を提示した入札を落札とし、該入札の電力供給者の電力供給者端末と該入札案件を登録した電力消費者端末に、通信制御部１０１およびネットワーク２００を介して、通知する。契約種別条件登録処理１０６は、本システムを利用する電力供給者端末３０１ａ〜３０１ｚが送信した、各電力供給者の各契約種別の契約条件情報を契約種別ＤＢ１０９に登録する処理である。
【００１７】
自動入札処理１０７は、図２に示すように、契約種別選定部１１０、パターン補正部１１１、宅送料補正部１１２、電気料金計算部１１３、割引等計算部１１４と入札登録部１１５からなる。契約種別選択部１１０は、契約種別ＤＢ１０９に格納されている全ての電力供給者の全ての契約種別の中から、入札案件の契約条件に該当するもの全てを抽出して、順にパターン補正部１１１に通知する。パターン補正部１１１は、契約種別を受けて、入札案件の補正情報と、受けた契約種別の契約条件情報の補正情報とに基づき、１日の負荷パターンおよび季節変動による補正を、該契約種別の従量単価に対して行い、その結果を託送料補正部１１２に通知する。託送料補正部１１２は、補正された従量単価を受けて、これに電力供給者端末の地域から電力消費者端末の地域への託送料金分の補正を加えて、これを電気料金計算部１１３に通知する。電気料金計算部１１３は、通知された補正された従量単価を用いて年間予想電気料金を算出して、税金等計算部１１４に通知する。割引等計算部１１４は、受けた年間予想電気料金に、消費税を加えて、入札登録部１１５に通知する。入札登録１１５は、年間予想電気料金を受けると、該当する入札案件情報に入札情報を追加する。
【００１８】
入札案件ＤＢ１０８は、図３のような、個々の入札案件の入札案件ＩＤと、入札案件情報と、図４のような、その入札案件に対応する入札情報とを対応付けて格納するデータベースである。契約種別ＤＢ１０９は、各電力供給者の契約種別ごとに、図５のように電力供給者ＩＤと契約種別ＩＤと、基本情報と、補正情報とを格納するデータベースである。ネットワーク２００は、インターネットなどの広域に設置されたネットワークであり、電気契約仲介装置１００と電力消費者端末３００ａ〜３００ｚ、電力供給者端末３０１ａ〜３０１ｚが接続されている。電力消費者端末３００ａ〜３００ｚは、電力の購入を希望している事業者などが所有する端末であり、ネットワーク２００を介して電気契約仲介装置１００に接続している。電力供給者端末３０１ａ〜３０１ｚは、電力の販売を希望している一般規模電気事業者もしくは特定規模電気事業者が所有する端末であり、ネットワーク２００を介して電気契約仲介装置１００に接続している。
【００１９】
次に、この電気契約仲介装置１００の動作を説明する。電気契約の仲介サービスを行なうに先立って、まず、電力供給者端末３０１ａ〜３０１ｚは、その所有者の全ての契約種別について、図５の各レコードのように、プライマリキー（電力供給者ＩＤ、契約種別ＩＤ）、基本情報（契約種別名称、地域コード、入札種別、契約最大電力、供給電圧、基本料金、従量単価、再生可能エネルギー率）、補正情報（負荷パターン、負荷調整値１、負荷調整値２、季節変動、季節調整値１、季節調整値２）を、所有者の入力に基づき、電気契約仲介装置１００の契約種別条件登録処理１０６へ送信する。電気契約仲介装置１００の通信制御部１０１は、これらの情報を、ネットワーク２００を介して受信した後、契約種別条件登録処理１０６に通知する。契約種別条件登録処理１０６は、これらの情報を受けると、契約種別ＤＢ１０９に１つの契約種別に対して１つレコードを作成して、図５のように登録する。
【００２０】
次に、例えば、電力消費者端末３００ａの所有者が所有するビルの電気契約の入札案件情報を、ここでは、図３に示す内容で、電力消費者端末３００ａから、電気契約仲介装置１００の入札案件登録処理１０２に送信する。電気契約仲介装置１００の通信制御部１０１は、これらの情報を、ネットワーク２００を介して受信した後、入札案件登録処理１０２に通知する。入札案件登録処理１０２は、これらの情報を受けると、該入札案件に識別番号（例えば、０３５２）を割り振って、これを入札案件ＩＤにして、受けた情報とともに、図３のように入札案件ＤＢ１０８に登録する。登録が終わると、入札案件登録処理１０２は、自動入札処理１０７に、さきに登録した入札案件の入札案件ＩＤ「０３５２」とともに自動入札の開始要求を通知する。
【００２１】
自動入札処理１０７は、入札案件ＩＤと開始要求を受けると、自動入札処理１０７の契約種別選定部１１０が、入札案件ＤＢ１０８より、ここでは、入札案件ＩＤ「０３５２」の入札案件の契約条件である契約最大電力「２０，０００ＫＷ」と受給電圧「６，０００Ｖ」を読み出す。次に、自動入札処理１０７は、この契約条件を満たす契約種別の電力供給者ＩＤと契約種別ＩＤを契約種別ＤＢ１０９より抽出する。すなわち、ここでは、契約最大電力が２０，０００ＫＷ以上、かつ、供給電圧が６，０００Ｖが条件となるので、レコード１〜３に登録されている全ての契約種別が契約条件を満たしており、電力供給者ＩＤと契約種別ＩＤ「０１，０１」、「０１，０２」、「０２，０１」を読み出す。次に契約種別選定部１１０は、これらの電力供給者ＩＤと契約種別ＩＤを、パターン補正部１１１に通知する。
【００２２】
パターン補正部１１１は、電力供給者ＩＤと契約種別ＩＤを受けると、それぞれについて負荷パターンによる補正と季節変動による補正を従量単価に施す。まず、電力供給者ＩＤと契約種別ＩＤが「０１，０１」の契約種別の場合を例に説明する。パターン補正部１１１は、負荷パターンによる補正を行なうために、入札案件ＤＢ１０８より、該入札案件（入札案件ＩＤ「０３５２」）の負荷パターン（ここでは、「１００６，９９５，９９６，１０１５，１１０５，１３６７，１９２７，２１１４，２４９８，２９１３，３３４４，３６２７，３３２３，３６４５，３６１１，３３４４，３０１９，２６８５，２４２３，２１１９，１７７５，１４１３，１２２４，１００９」）を読み出し、契約種別ＤＢ１０９より、該契約種別（電力供給者ＩＤと契約種別ＩＤ「０１，０１」）の従量単価「１１．７５」、相対負荷パターン（ここでは、「１６，１６，１６，１６，１５，１４，１２，１１，１０，９，８，６，６，６，７，８，１０，１１，１２，１４，１５，１６，１６，１６」)、負荷調整値１「０．１５」、負荷調整値２「１」を読み出して、式［数１］に代入して、補正後の従量単価を求める。
【００２３】
【数１】
2007133813.tif 000003
【００２４】
式［数１］において、ａｉは、ｉ＝１〜２４のそれぞれが入札案件ＤＢ１０８より読み出した負荷パターンの０時台から２３時台の電力量を表し、Ａは０時台から２３時台の負荷パターンの電力量の合計を表す。また、ｂｉは、ｉ＝１〜２４それぞれが契約種別ＤＢ１０８より読み出した相対負荷パターンの０時台から２３時台の値を表し、Ｂは０時台から２３時台の相対負荷パターンの値の合計を表す。ここでは、負荷パターンおよび相対負荷パターンを代入して、Ａ＝５２４９８、Ｂ＝２８６となり、偏差値「０．６６５」である。さらに、式［数１］に、負荷調整値１「０．１５」および負荷調整値２「１」を代入し、従量単価「１１．７５」を補正前の従量単価に代入して、負荷パターンによる補正後の従量単価「１７．８０」を得る。
【００２５】
次に、パターン補正部１１１は、季節変動による補正を行なうために、入札案件ＤＢ１０８より、該入札案件（入札案件ＩＤ「０３５２」）の前年実績の１月から１２月までの電力量（ここでは、「６７５１９，５５２３４，５２５９１，５２４９８，５１０６４，６２１３６，７６４５９、７８１４９，６５１２８，５１２４８，５７８５１，６３１２４」）、契約種別ＤＢ１０９より、該契約種別（電力供給者ＩＤと契約種別ＩＤ「０１，０１」）、季節変動（ここでは、「１３，１３，１２，１３，１４，１７２０，２０，１５，１０，１１，１２」)、季節調整値１「０．１」、季節調整値２「１」を読み出し、負荷パターンによる補正を加えられている従量単価「１７．８０」を補正前従量単価として、これらの読み出した値とともに、式［数２］に代入し、季節変動による補正後の従量単価を求める。
【００２６】
【数２】
2007133813.tif 000004
【００２７】
式［数２］において、ｎｊは、ｊ＝１〜１２それぞれが入札案件ＤＢ１０８より読み出した前年実績の１月から１２月の電力量を表し、Ｎは１月から１２月の前年実績の電力量の合計を表す。また、ｍｉは、ｉ＝１〜１２それぞれが契約種別ＤＢ１０８より読み出した前年実績の１月から１２月の値を表し、Ｍは１月から１２月の季節変動の値の合計を表す。ここでは、季節変動を代入して、Ｎ＝７３３００１、Ｍ＝１７０となるので、偏差値「０．１１６」である。さらに、式［数２］に、季節変動調整値１「０．１」および季節変動調整値２「１」を代入し、負荷パターンによる補正を施した従量単価「１７．８０」を補正前の従量単価に代入して、負荷パターンと季節変動による補正を加えられている補正後の従量単価「１８．０９」を得る。
【００２８】
パターン補正部１１１は、通知を受けた残りの契約種別（電力供給者ＩＤと契約種別ＩＤが「０１，０２」、「０２，０１」）についても、同様にして補正後の従量単価を求める。ここでは、電力供給者ＩＤと契約種別ＩＤが「０１，０２」では、補正後の従量単価「１４．３３」であり、電力供給者ＩＤと契約種別ＩＤが「０２，０１」では、補正後の従量単価「１７．２８」であったとする。通知を受けた全ての契約種別について、従量単価の補正を終えると、パターン補正部１１１は、託送料補正部１１２に契約種別選定部１１０から通知を受けた電力供給者ＩＤと契約種別ＩＤに対応付けて、それぞれの補正後の従量単価を通知する。
【００２９】
託送料補正部１１２は、電力供給者ＩＤと契約種別ＩＤに対応付けられた補正後の従量単価を受けると、これに託送料の加算を行なう。例えば、それぞれの地域で加算される託送料は、図６に示す値であるとすると、電力供給者ＩＤと契約種別ＩＤが「０１，０１」の場合は、契約種別ＤＢ１０９の該当するレコード（ここでは、レコード１）の地域コード（ここでは東北）と、入札案件ＤＢ１０８の該当するレコード（ここでは、入札案件ＩＤ「０３５２」のレコード）の地域コード（ここでは東京）とを参照して、東北から東京へ送電するため、図６より東北の「２．１」と東京の「３．０」を従量単価「１８．０９」に加えて、従量単価は「２３．１９」となる。その他の契約種別の場合も同様にして、電力供給ＩＤと契約種別ＩＤが「０１，０２」の場合は、同じく東北の２．１と東京の３．０を通知された従量単価「１６．３３」に加えて、「１９．４３」となる。電力供給ＩＤと契約種別ＩＤが「０２，０１」の場合は、契約種別ＤＢ１０９の該当するレコード（ここでは、レコード３）の地域コード（ここでは北海道）と、入札案件ＤＢ１０８の該当するレコード（ここでは、入札案件ＩＤ「０３５２」のレコード）の地域コード（ここでは東京）とを参照して、北海道の「１．５」、東北の「２．１」、東京の「３．０」を通知された従量単価「１７．２８」に加えて、「２３．８８」となる。通知を受けた全ての契約種別について、託送料の加算を終えると、託送料補正部１１２は、電気料金計算部１１３にパターン補正部１１１から通知を受けた電力供給者ＩＤと契約種別ＩＤに対応付けて、それぞれの託送料加算後の従量単価を通知する。
【００３０】
電気料金計算部１１３は、電力供給者ＩＤと契約種別ＩＤに対応付けられた託送料加算後の従量単価を受けると、通知された各契約種別について年間の電気料金を算出する。毎月の電気料金は、“基本料金＋従量単価×電気量”で表されるので、１月から１２月までの各月の電気料金を、該式を用いて算出し、これらを合算することで、年間の電気料金とする。まず、電力供給者ＩＤと契約種別ＩＤが「０１，０１」の１月の電気料金は、契約種別ＤＢ１０９の該当するレコード（ここでは、レコード１）の基本料金と、入札案件ＤＢ１０８の該当するレコード（ここでは、入札案件ＩＤ「０３５２」のレコード）の前年実績の１月の電力量と通知された従量単価から、５０１，０００円＋２３．１９円／ＫＷｈ×６７，５１９ＫＷｈ＝２，０６６，７６５．６１円となる。２月以降の各月も同様にして、「１７８１８７６．４６、１７２０５８５．２９、１７１８４２８．６２、１６８５１７４．１６、１９４１９３３．８４、２２７４０８４．２１、２３１３２７５．３１、２０１３１８．３２、１６８９４１．１２、１８４２５６４．６９、１９６４８４５．５６」となり、１月から１２月までの合計は、２３，０１０，２９３．１９円となる。同様にして、電力供給者ＩＤと契約種別ＩＤが「０１，０２」の年間の電気料金は、１５，２９２，２０９．４３円、電力供給者ＩＤと契約種別ＩＤが「０２，０１」の年間の電気料金は、１８，４８８，０６３．８８円となる。通知を受けた全ての契約種別について、年間の電気料金の算出を終えると、電気料金計算部１１３は、税金等計算部１１４に託送料補正部１１２から通知を受けた電力供給者ＩＤと契約種別ＩＤに対応付けて、それぞれの年間の電気料金を通知する。
【００３１】
税金等計算部１１４は、電力供給者ＩＤと契約種別ＩＤに対応付けられた年間の電気料金を受けると、通知された各契約種別について、年間の電気料金に消費税５％を加算して、年間予想電気料金を算出する。ここでは、電力供給者ＩＤと契約種別ＩＤが「０１，０２」の年間予想電気料金は、通知された年間の電気料金「２３，０１０，２９３．１９」を１．０５倍して、２４，１６０，９０７．８５円となる。同様にして、電力供給者ＩＤと契約種別ＩＤが「０１，０２」の年間予想電気料金は、１６，０５６，８１９．９円となり、電力供給者ＩＤと契約種別ＩＤが「０２，０１」の年間予想電気料金は、１９，４１２，４６７．０７円となる。通知を受けた全ての契約種別について、年間予想電気料金の算出を終えると、税金等計算部１１４は、入札登録部１１５に電気料金計算部１１３から通知を受けた電力供給者ＩＤと契約種別ＩＤに対応付けて、それぞれの年間予想電気料金を通知する。
【００３２】
入札登録部１１５は、電力供給者ＩＤと契約種別ＩＤに対応付けられた年間予想電気料金を受けると、同じ電力供給者ＩＤの中で、年間予想電気料金が最も低いものを選び出して、入札案件ＤＢ１０８に登録する。ここでは、電力供給者ＩＤ「０１」では、契約種別ＩＤが「０１」だと、年間予想電気料金は、２４，１６０，９０７．８５円であり、電力供給者ＩＤが同じ「０１」の契約種別ＩＤが「０２」だと、年間予想電気料金は、１６，０５６，８１９．９円であるので、年間予想電気料金が契約種別ＩＤ「０２」の入札情報を、入札案件ＤＢ１０８に登録する。このとき、入札識別ＩＤは、該入札案件ＩＤに入札情報の通し番号を連結して「０３５２００１」とし、入札状態、地域コード、契約最大電力、受給電圧、基本料金、補正前従量単価と再生エネルギー比率は、契約種別ＤＢ１０９を参照し、補正従量単価は、託送料補正１１２にて算出した値を、登録する。また、電力供給者ＩＤ「０２」では、契約種別ＩＤが「０１」のみなので、該契約種別の入札情報を、同様にして登録し、終了する。これにより、入札案件ＤＢ１０８は、入札案件ＩＤ「０３５２」に対応付けて、図４に示す情報が登録されている。
【００３３】
次に、電力供給者端末３０１ａの電力供給者ＩＤは、「０１」であるとする。電力供給者端末３０１ａの所有者が、入札状況確認の指示をすると、電力供給者端末３０１ａは、ネットワーク２００を介して、電気契約仲介装置１００に入札状況要求を送信する。電気契約仲介装置１００の通信制御部１０１は、入札状況要求を受けると、これを入札状況照会処理１０３に通知する。入札状況照会処理１０３は、入札状況要求を受けると、入札案件ＤＢ１０８を参照して、登録されている入札案件で、入札期限前のもの全ての入札案件ＩＤと契約条件を返す。ここでは、入札期限前の入札案件は、入札案件ＩＤ：が「０３５２」の入札案件のみなので、入札案件ＩＤ「０３５２」とその契約条件（電力消費者ＩＤ「１０５」、地域コード「東京」、入札期限「２０ＸＸ／０８／３１」、契約最大電力「２０，０００」、受給電圧「６，０００」）を通信制御部１０１に通知する。該通知を受けた通信制御部１０１は、ネットワーク２００を介して、入札状況要求の返信として、該通知を電力供給者端末３０１ａに送信する。電力供給者端末３０１ａでは、受信した入札案件ＩＤと契約条件のリストを表示する。ここでは、受信した入札案件ＩＤは「０３５２」のみなので、この１件だけを表示する。
【００３４】
電力供給者端末３０１ａの所有者が、この入札案件を選択して、前年実績の表示を電力供給者端末３０１ａに指示すると、電力供給者端末３０１ａは、ネットワーク２００を介して、電気契約仲介装置１００に入札案件ＩＤ「０３５２」とともに前年実績要求を送信する。電気契約仲介装置１００の通信制御部１０１は、入札案件ＩＤ「０３５２」と前年実績要求を受けると、これらを入札状況照会処理１０３に通知する。入札状況照会処理１０３は、これらの通知を受けると、入札案件ＤＢ１０８を参照して、入札案件ＩＤ「０３５２」の前年実績の１月から１２月までの電力量および電気料金を通信制御部１０１に通知する。該通知を受けた通信制御部１０１は、ネットワーク２００を介して、前年実績要求の返信として、該通知を電力供給者端末３０１ａに送信する。電力供給者端末３０１ａでは、受信した前年実績の電力量と電気料金のリストを表示する。
【００３５】
次に、利用者が、再度、入札案件ＩＤ「０３５２」を選択して、入札状況の表示を電力供給者端末３０１ａに指示すると、電力供給者端末３０１ａは、ネットワーク２００を介して、電気契約仲介装置１００に入札案件ＩＤ「０３５２」とともに入札状況要求を送信する。電気契約仲介装置１００の通信制御部１０１は、入札案件ＩＤ「０３５２」と入札状況要求を受けると、これらを入札状況照会処理１０３に通知する。入札状況照会処理１０３は、これらの通知を受けると、入札案件ＤＢ１０８を参照して、入札案件ＩＤ「０３５２」の入札情報（入札識別ＩＤ、入札状態、電力供給ＩＤ、地域コード、契約種別ＩＤ、契約最大電力、受給電圧、基本料金、補正前従量単価、補正後従量単価、割引料金、年間予想電気料金、再生可能エネルギー比率」を取得する。ここでは、登録されている入札情報は、図４に示す入札識別が「０３５２００１」と「０３５２００２」の入札情報なので、これらを通信制御部１０１に通知する。該通知を受けた通信制御部１０１は、ネットワーク２００を介して、入札状況要求の返信として、該通知を電力供給者端末３０１ａに送信する。電力供給者端末３０１ａは、受信した入札情報を表示する。ここで、入札状態が仮入札である場合、所有者は、基本料金や補正後従量単価を変更するか、割引料金を設定することで、自社の入札価格である年間予想電気料金を変更することができる。しかし、この例では、電力供給者端末３０１ａの所有者は、入札者の中で最低価格なので、年間予想電気料金を変更せず、そのままの価格で入札を確定することにして、電力供給者端末３０１ａに入札識別ＩＤ「０３５２００１」の入札の確定を指示する。電力供給者端末３０１ａは、該指示を、ネットワーク２００を介して、電気契約仲介装置１００に送信する。電気契約仲介装置１００の通信制御部１０１は、該指示を受けると、入札変更・確定処理１０４に通知する。入札変更・確定処理１０４は、該通知を受けると、入札案件ＤＢ１０８の入札識別ＩＤが「０３５２００１」のレコードの入札状態を入札に変更し、入札を確定する。
【００３６】
時間が経過して、入札案件の入札期限が過ぎると、落札通知処理１０５が、入札案件ＤＢ１０８を参照し、該入札案件の入札情報のうち、入札状態が「入札」となっており、年間予想電気料金が最安値の入札情報が、落札したとして、該入札情報の入札状態を「落札」に変更するとともに、落札者である電力供給者の電力供給者端末および入札案件の設定者の電力消費者端末への通知を行なう。この例では、入札識別ＩＤ「０３５２００１」の年間予想電気料金が、１６，０５６，８１９，９円、入札識別ＩＤ「０３５２００２」の年間予想電気料金が、１９，４１２，４６７．０７円であり、入札識別ＩＤ「０３５００１」の落札となる。したがって、落札通知処理１０５は、電力消費者端末３００ａと、電力供給者端末３０１ａに、落札結果を通知するよう通信制御部１０１に指示する。通信制御部１０１は、落札結果通知の指示を受けて、落札結果通知を、ネットワーク２００を介して、電力消費者端末３００ａと、電力供給者端末３０１ａとに送信する。
【００３７】
なお、入札期限前には、入札案件を設定した電力消費者端末３００ａからも、電力供給者端末３０１ａと同様に、入札状況の確認が可能である。さらに、入札案件を設定した電力消費者端末からは、入札期限前であれば、落札を指定することもできる。例えば、入札案件を設定した電力消費者端末３００ａで入札状況の確認をした後、電力消費者端末３００ａは、その所有者から、落札した入札情報と落札の指示を受けると、電力消費者端末３００ａは、指示された入札情報の入札識別ＩＤ（例えば、「０２」）と落札した旨の通知を、ネットワーク２００を介して、電気契約仲介装置１００に送信する。電気契約仲介装置１００の通信制御部１０１は、該通知を受けると、これを入札変更・確定処理１０４に通知する。入札変更・確定処理１０４は、該通知を受けると、該通知に従い、入札案件ＤＢの入札識別ＩＤが通知された入札識別ＩＤのレコードの入札状態を落札に変更する。落札通知処理１０５は、該レコードの入札状態が落札に変更されると、該入札案件の電力消費者の電力消費者端末３００ａと、該入札案件を落札した入札情報の電力供給者の電力供給者端末３０１ｂに、落札結果を通知するよう通信制御部１０１に指示する。通信制御部１０１は、落札結果通知の指示を受けて、落札結果通知を、ネットワーク２００を介して、電力消費者端末３００ａと、電力供給者端末３０１ｂとに送信する。
【００３８】
なお、託送料補正部１１２は、契約種別ＤＢ１０９の該当するレコードの地域コードと、入札案件ＤＢ１０８の該当するレコードの地域コードとを参照して、電力を託送する各地域の電力会社の託送料を従量単価に加えるとして説明したが、電力を消費する地域の電力会社の託送料を従量単価に加えるとしてもよい。この場合は、例えば、電力供給者ＩＤと契約種別ＩＤが「０１，０１」で、入札案件ＩＤが「０３５２」のときは、電力を消費する地域である入札案件の地域コードが「東京」なので、図６より東京の「３．０」を従量単価「１８．０９」に加えて、従量単価は、「２１．０９」となる。また、その他の契約種別の場合も、入札案件ＩＤが「０３５２」のときは、託送料が消費する地域のみに依存することから、各従量単価に東京の「３．０」を加えることになる。
【００３９】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００４０】
本発明は、インターネットなどを介して、電力を売買するｅコマースサイトに用いて好適である。
【図面の簡単な説明】
【００４１】
【図１】この発明の一実施形態による電気契約仲介装置の構成を示すブロック図である。
【図２】同実施形態における自動入札処理１０７の構成を示すブロック図である。
【図３】同実施形態における入札案件ＤＢ１０８のプライマリキーと入札案件情報の内容例である。
【図４】同実施形態における入札案件ＤＢ１０８の入札情報の内容例である。
【図５】同実施形態における契約種別ＤＢ１０９の内容例である。
【図６】同実施形態における各地域の託送料の例である。
【符号の説明】
【００４２】
１００…電気契約仲介装置
１０１…通信制御部
１０２…入札案件登録処理
１０３…入札状況照会処理
１０４…入札変更・確定処理
１０５…落札通知処理
１０６…契約種別条件登録処理
１０７…自動入札処理
１０８…入札案件ＤＢ
１０９…契約種別ＤＢ
１１０…契約種別選定部
１１１…パターン補正部
１１２…託送料補正部
１１３…電気料金計算部
１１４…割引等計算部
１１５…入札登録部
２００…ネットワーク
３００ａ〜３００ｚ…電力消費者端末
３０１ａ〜３０１ｚ…電力供給者端末
【図１】
2007133813.tif 000005
【図２】
2007133813.tif 000006
【図３】
2007133813.tif 000007
【図４】
2007133813.tif 000008
【図５】
2007133813.tif 000009
【図６】
2007133813.tif 000010